(57)【要約】【課題】複製されたくない情報を出力する際に、従来のように複製禁止マークなどを印字することなく、また複数の装置においても重要書類の複製を防ぐこと。【解決手段】原稿画像を読み取る手段と、画像情報を記憶する記憶手段と、前記読み取り手段によって読み取られた画像の出力及び、前記読み取り手段によって読み取られた画像情報を前記記憶手段に記憶するか否かを決定するための操作手段と、前記記憶手段の画像情報と前記読み取り手段の画像を比較する比較手段と、前記比較手段により比較された結果が同様と判断されたときに画像出力を禁止する手段とを備えることを特徴とする出力装置。また記憶手段に記憶する際、読み取った画像情報に対して記録処理を行ったものを記憶し、読み取り手段によって読み取られた画像と比較する際には、読み取った画像情報に対しても同じ記録処理することを特徴とする出力装置。【選択図】　　　　図１
2004080352.tif 000002
【特許請求の範囲】
【請求項１】
原稿画像を読み取る手段と、画像情報を記憶する記憶手段と、前記読み取り手段によって読み取られた画像の出力及び、前記読み取り手段によって読み取られた画像情報を前記記憶手段に記憶するか否かを決定するための操作手段と、前記記憶手段の画像情報と前記読み取り手段の画像を比較する比較手段と、前記操作手段に従って読み取った画像情報を記憶手段に記憶する際には読み取った画像情報に対して記録処理を行って記憶し、読み取り手段によって読み取られた画像と比較する際には、読み取った画像情報に対しても同じ記録処理をする手段と、前記比較手段により比較された結果が同様と判断されたときに画像出力を禁止する手段とを備えることを特徴とする監視機能つき出力装置。
【発明の詳細な説明】
【０００１】
【発明の属する技術分野】
本発明は複写装置やプリンタなど画像情報を出力する監視機能つき出力装置に関するものである。
【０００２】
【従来の技術】
複製禁止情報などを扱う際に、はじめはコピー出力される用紙にコピー禁止文字などを捺印していた。しかし、コピー禁止文字を捺印しただけでは、実際にはその用紙を扱う人任せとなり、コピー出力できてしまう危険性があった。この対策として複製禁止情報を出力する際に、コピー出力される用紙の一部に複製禁止マークを挿入し、以後の複製時にはこのマークを認識することで複製の禁止制御を行っていた（図３）。
【０００３】
【発明が解決しようとする課題】
しかし、前述の制御ではコピー出力される用紙に複製禁止マークを印字しなければならず、見栄えが悪くなったり、複製禁止マークを隠してコピーを行うとコピー出力できてしまう問題があった。
【０００４】
本発明は、以上の点に着目して成されたもので、複製されたくない情報を出力する際に、従来のように複製禁止マークなどを印字することなく、また複数の装置においても重要書類の複製を防ぐ監視機能つき出力装置を提供することを目的とする。
【０００５】
【課題を解決するための手段】
本発明は以上のような課題を解決するための手段の一つとして、原稿画像を読み取る手段と、画像情報を記憶する記憶手段と、前記読み取り手段によって読み取られた画像の出力及び、前記読み取り手段によって読み取られた画像情報を前記記憶手段に記憶するか否かを決定するための操作手段と、前記記憶手段の画像情報と前記読み取り手段の画像を比較する比較手段と、前記操作手段に従って読み取った画像情報を記憶手段に記憶する際には読み取った画像情報に対して記録処理を行って記憶し、読み取り手段によって読み取られた画像と比較する際には、読み取った画像情報に対しても同じ記録処理する手段と、前記比較手段により比較された結果が同様と判断されたときに画像出力を禁止を可能とするため、複製禁止マークによる見栄えの悪化をなくし、複製禁止情報を容易に複製されることを防ぐことができるようになる。さらには記憶手段に記憶する方式を、全面・フルカラー・圧縮・白黒の単色化・任意の部分など画像処理を施し、例えば全面方式であれば高確率での複製禁止を可能とし、また圧縮方式や任意の部分方式とすれば比較判断の高速化を実現し、圧縮方式や白黒単色化ならば記憶手段（例えばメモリの容量を減らせる）の低コスト化に対応することが可能となる。
【０００６】
【発明の実施の形態】
図１は本発明の一実施例を説明するものであり、以下に具体的な動作を説明する。
【０００７】
複製を禁止する方式としては従来マーク認識方式があった。これは図３に示すように、複製されたくないオリジナル原稿８を複写装置Ａにてコピー出力する場合、画像読み取り手段３（例えばリーダ部）において読み取った画像情報を、出力手段６（例えばプリンタ部）にて出力した出力原稿を９とすれば、出力原稿９には複製禁止マーク１０が印字される（図３−１）。出力原稿９を再度複写装置Ａにてコピー出力しようとすれば、マーク認識手段７にて複製禁止マーク１０を認識すれば（図３−２）、コピー出力を禁止する（図３−３）。
【０００８】
ここで、本発明によれば図２に示すように、複製されたくないオリジナル原稿８を複写装置Ａにてコピー出力する場合、図７に示す操作手段２にある、例えば記憶選択手段４（複製されたくない場合に選択するキー）を選択して画像読み取り手段３にオリジナル原稿８を読み取らせる。読み取った画像情報は記憶手段１（例えばメモリ）に記憶し、出力手段６にて出力原稿９を出力する（図２−１）。出力原稿９を再度複写装置Ａにてコピー出力しようとすれば、比較手段５にて画像情報が同様（例えば出力原稿９＝記憶手段情報１）と認識すれば（図２−２）、コピー出力を禁止することで、複製禁止マークなどを印字することなく、オリジナル原稿８の複製を防ぐことができる（図２−３）。
【０００９】
次にフローチャートを用いて本発明を説明する。
【００１０】
図８に示すように、複製されたくないオリジナル原稿８をコピー出力する場合、ステップ１０１（以下Ｓ１０１とする）にて操作手段２内の例えば記憶選択手段４（複製されたくない場合に選択するキー）を選択する（Ｓ１０２）。Ｓ１０２で記憶を選択していればＳ１０３に進み画像読み取り手段３にてオリジナル原稿８を読み取る。Ｓ１０４では記憶手段１に既に記憶されている情報か否かの判断を行う。Ｓ１０４で記憶されている情報と判断されればＳ１０７に進み出力禁止として本動作を終了する。Ｓ１０４で記憶されていない情報と判断されれば、Ｓ１０５にて記憶手段１に記憶する。Ｓ１０６では出力手段６にて出力原稿９を出力し本動作を終了する。またＳ１０２で記憶を選択していなければＳ１０８に進み、画像読み取り手段３にてオリジナル原稿８を読み取り、Ｓ１０９において記憶手段１にある情報とＳ１０８の情報を比較して、Ｓ１１０にて出力の可否を行う。Ｓ１１０ではＳ１０９の結果が同様と判断されれば出力を禁止、そうでなければ出力を許可して本動作を終了する。
【００１１】
（他の実施例）
図４から図６は本発明の一実施例を説明するものであり、複製されたくないオリジナル原稿８をコピー出力する場合の記録処理について説明する。
【００１２】
複写装置Ａにて図７に示す操作手段２にある、例えば記憶選択手段４を選択して画像読み取り手段３にオリジナル原稿８を読み取らせる。読み取った画像情報は記憶手段１に記憶されるが、このとき第６図に示すように記録処理手段１１を経て例えば２値化（あるいは白黒化など）し記録容量を少なくして記録を行う。これにより１回の記録容量を抑えることができるため容量の少ない安価なメモリを使うことが可能となる。記録手段１にて記録が終わると、複写装置Ａは出力手段６にて出力原稿９を出力する（図４−１）。続いて、図４−２に示すように出力原稿９を用いて再度コピー出力しようとすると、読み取った画像情報を一度記録処理（この場合は２値化）を行ったものと、記録手段１内の記録処理情報（２値化）とを比較手段５にて比較を行い、結果が同様であればコピー出力を禁止しオリジナル原稿８の複製を防ぐ（図４−３）。
【００１３】
次にフローチャートを用いて本発明を説明する。
【００１４】
図９に示すように、Ｓ２０１にて操作手段２内の例えば記憶選択手段４（複製されたくない場合に選択するキー）を選択する（Ｓ２０２）。Ｓ２０２で記憶を選択していればＳ２０３に進み画像読み取り手段３にてオリジナル原稿８を読み取る。Ｓ２０４では読み込んだ画像に対して２値化や白黒化などの圧縮処理を行う。Ｓ２０５では記憶手段１に既に記憶されている情報と比較し、同様か否かの判断を行う。Ｓ２０５で既存の情報と判断されればＳ２０８に進み出力禁止として本動作を終了する。Ｓ２０５で記憶されていない情報と判断されればＳ２０６に進み、Ｓ２０４にて処理された状態で記憶手段１に記憶する。Ｓ２０７では出力手段６にて出力原稿９を出力し本動作を終了する。またＳ２０２で記憶を選択していなければＳ２０９に進み、画像読み取り手段３にてオリジナル原稿８を読み取り、Ｓ２１０では読み込んだ画像に対して２値化や白黒化などの圧縮処理を行う。続いてＳ２１１において記憶手段１にある情報とＳ２１０の情報とを比較して、Ｓ２１２にて出力の可否を行う。Ｓ２１２ではＳ２１１の結果が同様と判断されれば出力を禁止、そうでなければ出力を許可して本動作を終了する。
【００１５】
【発明の効果】
以上説明したように本発明によれば、複製されたくない情報を装置に記憶させ、出力時に記憶情報との比較判断を行うことで、複製禁止マークなどを印字することなく、重要書類の複製を防ぐことができる。また記憶する方式を、全面・フルカラー・圧縮・白黒の単色化・任意の部分など画像処理を施し、例えば全面方式であれば高確率での複製禁止を可能とし、また圧縮方式や任意の部分方式とすれば比較判断の高速化を実現し、圧縮方式や白黒単色化ならば記憶手段（例えばメモリの容量を減らせる）の低コスト化に対応することが可能となる。
【図面の簡単な説明】
【図１】本発明の請求項を表すブロック図
【図２】本発明の請求項を表す図
【図３】従来例を表す図
【図４】本発明の請求項を表す図
【図５】本発明の請求項を表す図
【図６】本発明の請求項を表す図
【図７】操作手段の一例を表す図
【図８】本発明の請求項を表すフローチャート
【図９】本発明の請求項を表すフローチャート
【符号の説明】
１　記憶手段
２　操作手段
３　画像読み取り手段
４　記憶選択手段
５　比較手段
６　出力手段
７　マーク認識手段
８　オリジナル原稿
９　出力原稿
１０　複製禁止マーク
１１　記録処理手段
【図１】
2004080352.tif 000003
【図２】
2004080352.tif 000004
【図３】
2004080352.tif 000005
【図４】
2004080352.tif 000006
【図５】
2004080352.tif 000007
【図６】
2004080352.tif 000008
【図７】
2004080352.tif 000009
【図８】
2004080352.tif 000010
【図９】
2004080352.tif 000011